(57)【要約】【課題】防犯窓のガラス板がいたずらされたり、破損されたときに、それを的確に検知して適切に対応することができるエレベータの防犯窓装置を提供する。【解決手段】防犯窓には、ガラス板に加わる衝撃を検出する第１及び第２のセンサが設けられ、第１のセンサはガラス板が破損しない程度の比較的弱い所定範囲内の衝撃を検出し、第２のセンサはガラス板が破損する前記所定範囲を超える強い衝撃を検出する。かごに乗った乗客により防犯窓のガラス板が手や器具類で叩かれるようないたずらが行なわれ、それが第１のセンサにより検出されると、かご内の警報ブザーが鳴動して警告が発せられ、この警告でいたずらをやめたときにはエレベータの運行がそのまま継続される。いたずらの行為の際に、ガラス板に所定範囲を超える大きな衝撃が加わってガラス板が破損したときにはそれが第２のセンサにより検出され、その信号でエレベータの運行が停止するように制御される。【選択図】    図６
2011051740.tif 000002
【特許請求の範囲】
【請求項１】
エレベータのドア装置のドアパネルに設けられ、エレベータホールからかごの内部への透視を可能にするガラス板を備える防犯窓において、
前記ガラス板に加わる衝撃を検出する検出手段と、
前記検出手段により検出される衝撃の大きさに応じて警報手段を動作させる制御を行なう制御手段と、
を具備することを特徴とするエレベータドアの防犯窓装置。
【請求項２】
エレベータのドア装置のドアパネルに設けられ、エレベータホールからかごの内部への透視を可能にするガラス板を備える防犯窓において、
前記ガラス板に加わる衝撃を検出する検出手段と、
前記検出手段により検出される衝撃の大きさが所定範囲内のときには警報手段を動作させ、その所定範囲を超えるときにはエレベータの運行を停止させる制御を行なう制御手段と、
を具備することを特徴とするエレベータドアの防犯窓装置。
【請求項３】
前記防犯窓は、かごにおけるドア装置のドアパネルに設けられ、前記警報手段は前記かごに設けられていることを特徴とする請求項１又は２に記載のエレベータドアの防犯窓装置。
【請求項４】
前記防犯窓は、エレベータホールにおけるドア装置のドアパネルに設けられ、前記警報手段は前記エレベータホールに設けられていることを特徴とする請求項１又は２に記載のエレベータドアの防犯窓装置。
【請求項５】
前記防犯窓は、かごにおけるドア装置のドアパネル、及びエレベータホールにおけるドア装置のドアパネルのそれぞれに設けられ、前記かごにおけるドア装置の防犯窓に対応する警報手段は前記かごに、前記エレベータホールにおけるドア装置の防犯窓に対応する警報手段は前記エレベータホールに設けられていることを特徴とする請求項１又は２に記載のエレベータドアの防犯窓装置。
【発明の詳細な説明】
【技術分野】
【０００１】
この発明は、エレベータのドアに設けられる防犯窓装置に関する。
【背景技術】
【０００２】
建屋の各階のエレベータホールには、かごが昇降する昇降路に通じる出入口が設けられ、これら出入口にホールドア装置が設置されている。また、昇降路内で昇降するかごは前面に出入口を有し、この出入口にかごドア装置が設置されている。
【０００３】
このようなエレベータにおいて、例えば特開２０００−２３８９８１公報に見られるように、防犯上の観点からドア装置に防犯窓が設けられる場合がある。この種の防犯窓は、ドア装置のドアパネルに所定の大きさの開口を形成し、その開口に枠材を介して透明なガラス板を嵌め込んでなる。そしてその透明なガラス板を通してかごの内部を外部から目視可能とすることで密室性の高いかご内での犯罪を未然に防止しようとするものである。
【先行技術文献】
【特許文献】
【０００４】
【特許文献１】特開２０００−２３８９８１公報
【発明の概要】
【発明が解決しようとする課題】
【０００５】
ところが防犯窓のガラス板は、いたずらにより強く押されたり叩かれたりすることがある。防犯窓のガラス板は、内部に補強用のワイヤ網が張られた強度の高いものが採用されているが、手や器具類で強く叩かれるようなことがあると、破損してしまう恐れがある。
【０００６】
従来では、防犯窓がいたずらされてもそれを警告する手段がなく、このためいたずらがエスカレートしてガラス板が破損されてしまう懸念がある。ガラス板の破損が第三者に発見され、エレベータの管理センターなどに通報されれば、その通報に基づいてエレベータの運行が停止される。
【０００７】
しかしながら、第三者による通報がないと、防犯窓のガラス板が破損したままエレベータの運行が継続され、破損したガラス板で第三者の乗客が思わぬ怪我を負う恐れがある。
【０００８】
この発明はこのような点に着目してなされたもので、その目的とするところは、防犯窓のガラス板がいたずらされたり、破損されたときに、それを的確に検知して適切に対応することができるエレベータドアの防犯窓装置を提供することにある。
【課題を解決するための手段】
【０００９】
このような目的を達成するために、請求項１の発明は、エレベータのドア装置のドアパネルに設けられ、エレベータホールからかごの内部への透視を可能にするガラス板を備える防犯窓において、前記ガラス板に加わる衝撃を検出する検出手段と、前記検出手段により検出される衝撃の大きさに応じて警報手段を動作させる制御を行なう制御手段とを具備することを特徴としている。
【００１０】
請求項２の発明は、エレベータのドア装置のドアパネルに設けられ、エレベータホールからかごの内部への透視を可能にするガラス板を備える防犯窓において、前記ガラス板に加わる衝撃を検出する検出手段と、前記検出手段により検出される衝撃の大きさが所定範囲内のときには警報手段を動作させ、その所定範囲を超えるときにはエレベータの運行を停止させる制御を行なう制御手段とを具備することを特徴としている。
【００１１】
請求項３の発明は、前記防犯窓が、かごにおけるドア装置のドアパネルに設けられ、前記警報手段が前記かごに設けられていることを特徴としている。
【００１２】
請求項４の発明は、前記防犯窓が、エレベータホールにおけるドア装置のドアパネルに設けられ、前記警報手段が前記エレベータホールに設けられていることを特徴としている。
【００１３】
請求項５の発明は、前記防犯窓が、かごにおけるドア装置のドアパネル、及びエレベータホールにおけるドア装置のドアパネルのそれぞれに設けられ、前記かごにおけるドア装置の防犯窓に対応する警報手段が前記かごに、前記エレベータホールにおけるドア装置の防犯窓に対応する警報手段が前記エレベータホールに設けられていることを特徴としている。
【発明の効果】
【００１４】
この発明によれば、防犯窓のガラス板がいたずらされたり、破損されたときに、それを的確に検知して適切に対応することができる。
【図面の簡単な説明】
【００１５】
【図１】この発明の一実施形態を示す、エレベータホールの外観図。
【図２】エレベータホールの平断面図。
【図３】かごの内部からそのかごの出入口を見た外観図。
【図４】防犯窓を拡大して示す正面図。
【図５】制御回路の構成を示すブロック図。
【図６】かごドア装置の防犯窓における作用の流れを示す図。
【図７】ホールドア装置の防犯窓における作用の流れを示す図。
【発明を実施するための形態】
【００１６】
以下、この発明の実施の形態について図面を参照して説明する。図１にはエレベータホール１の外観図を、図２にはエレベータホール１の平断面図をそれぞれ示してある。
【００１７】
エレベータホール１の壁面２には、その内側の昇降路３に通じる出入口４が設けられている。この出入口４は三方枠５を備え、この三方枠５は一対の側壁部６と、これら側壁部６の上部間に架設された天板部７とで門形に構成されている。
【００１８】
出入口４の背面部には、この出入口４を開閉するホールドア装置８が設けられている。ホールドア装置８は、例えば一対のドアパネル８ａ，８ｂが左右に移動して出入口４を開閉する両開き式構造となっている。各ドアパネル８ａ，８ｂは、出入口４の背面下部に据付けられた敷居９の上に配置され、その敷居９に沿って移動する。
エレベータホール１の壁面２には、出入口４の側方部に位置してホール操作盤１１が取り付けられ、このホール操作盤１１に乗客が操作するかご呼びボタン１２及び警報を発する警報手段としての警報ブザー１３が設けられている。
【００１９】
壁面２の内側の昇降路３内には、図２に示すように、かご１４が吊り下げられ、このかご１４が昇降路３内で昇降移動し、エレベータホール１のかご呼びボタン１２の操作に応じてかご１４がそのエレベータホール１に移動して出入口４に対向する着床位置で停止する。
かご１４には前面に出入口１５が設けられている。図３には、かご１４の内部から出入口１５を見た外観図を示してある。出入口１５は両側に出入口柱１６を有し、これら出入口柱１６と近接して出入口１５の外側にかごドア装置１７が設けられている。このかごドア装置１７は、ホールドア装置８と対応するように一対のドアパネル１７ａ，１７ｂを備え、これらドアパネル１７ａ，１７ｂが左右に移動して出入口１５を開閉する両開き式構造となっている。出入口１５の下部外側には敷居１８が据え付けられ、この敷居１８の上にドアパネル１７ａ，１７ｂが配置され、これらドアパネル１７ａ，１７ｂが敷居１８に沿って左右に移動する。
かご１４の内側の壁面にはかご操作盤２０が設けられ、このかご操作盤２０に行先階を登録するための複数の行先階ボタン２１、ドア開閉用のドア開閉ボタン２２及び警報を発する警報手段としての警報ブザー２３が配設されている。
【００２０】
ホールドア装置８の各ドアパネル８ａ，８ｂ及びかごドア装置１７の各ドアパネル１７ａ，１７ｂにはそれぞれ防犯窓２５が設けられている。各防犯窓２５は、図４に示すようにドアパネル８ａ，８ｂ，１７ａ，１７ｂに形成された開口２６と、この開口２６の内側に枠材２７を介して嵌め込まれた透明なガラス板２８とを備え、ガラス板２８により開口２６が閉塞されている。ガラス板２８は枠材２７に一体的に設けられた複数の留め具２７ａにより枠材２７に係止され、またガラス板２８の内部には補強用のワイヤ網２９が組み込まれている。
【００２１】
昇降路３内でかご１４が昇降するときに、かごドア装置１７の防犯窓２５が各階のエレベータホール１の防犯窓２５に順次対向し、その対向時に各階のエレベータホール１からその対向する両防犯窓２５のガラス板２８を通してかご１４の内部を目視することが可能となり、これにより密室性の高いかご１４内での犯罪を未然に防止する犯罪抑止効果が生じる。
【００２２】
各防犯窓２５におけるガラス板２８の周縁部には、ガラス板２８に加わる衝撃を振動、圧力、加速度など基づいて検出する第１及び第２の検出センサ３１，３２が設けられている。第１の検出センサ３１は、所定の閾値の衝撃を検出したときに所定の信号を出力し、第２の検出センサ３２は、その所定の閾値よりもさらに大きな閾値の衝撃を検出しときに所定の信号を出力するようになっている。
【００２３】
すなわち、第１の検出センサ３１は、ガラス板２８が破損しない程度の比較的弱い所定範囲内の衝撃がガラス板２８に加わったときにそれを検出して所定の信号を出力し、第２の検出センサ３２は、ガラス板２８が破損する前記所定範囲を超える強い衝撃がガラス板２８に加わったときにそれを検出して所定の信号を出力するようになっている。そして、第１及び第２の検出センサ３１，３２はガラス板２８に対してそれぞれ複数ずつ設けられ、例えば各ガラス板２８の四隅部分に均等的に配設されている。
【００２４】
図５には制御回路の構成を示してある。３３はエレベータの運行を制御する制御手段としての制御盤で、この制御盤３３にホール操作盤１１のかご呼びボタン１２、かご操作盤２０の行先階ボタン２１、ドア開閉ボタン２２、各防犯窓２５に設けられた第１及び第２の検出センサ３１，３２、カゴドア装置１７、警報ブザー１３，２３が接続されている。
【００２５】
次に、作用について図６に示す流れ図を参照して説明する。
【００２６】
エレベータホール１に着床停止しているかご１４に乗客が乗り込み（Ｓ１）、かご操作盤２０の行先階ボタン２１を操作して目的の行先階を登録すると、制御盤３３による制御で、かごドア装置１７及びこれに連動してホールドア装置８が閉じ、かご１４が目的階に向って移動する（Ｓ２）。この移動中にかご１４に乗った乗客によりかごドア装置１７の防犯窓２５のガラス板２８が手や器具類で叩かれるようないたずらが行なわれ（Ｓ３）、そのガラス板２８にガラス板２８が破損しない程度の所定範囲内の衝撃が加わってその衝撃が第１の検出センサ３１により検出されると（Ｓ４）、その信号が制御盤３３に送られる。
【００２７】
第１の検出センサ３１による信号が送られた制御盤３３は、その信号に基づいてかご１４内の警報ブザー２３を制御して鳴動させ、かご１４内の乗客に対していたずらをやめるよう警告を発する（Ｓ５）。この警告でかご１４内の乗客がいたずらをやめ、第１の検出センサ３１が衝撃を検出しなくなったとき、つまり衝撃無検出のときには（Ｓ６）、エレベータの運行がそのまま継続される（Ｓ７）。
【００２８】
Ｓ３のいたずらの行為の際に、ガラス板２８に所定範囲を超える大きな衝撃が加わってガラス板２８が破損し、その衝撃が第２のセンサ３２により検出されると（Ｓ８）、その信号が制御盤３３に送られる。そして制御盤３３により移動中のかご１４が最寄の階のエレベータホール１で停止し、かつかごドア装置１７及びホールドア装置８が開いてエレベータの運行が停止するように制御される（Ｓ９）。さらに、前記検出センサ３２の検出信号に基づいてガラス板２８の異常（破損）がエレベータの管理センターに通報される（Ｓ１０）。
【００２９】
Ｓ５における警報ブザー２３による警告にもかかわらず、いたずらが継続され、ガラス板２８がさらに強く叩かれて破損するときには、Ｓ８〜Ｓ１０に進み、エレベータの運行停止、管理センターへの通報がなされる。
【００３０】
このように、かご１４内において、かごドア装置１７における防犯窓２５のガラス板２８がいたずらで叩かれ、ガラス板２８に所定範囲の衝撃が加わると、かご１４内の警報ブザー２３が鳴動してそのいたずらに対して警告がなされる。このため防犯窓２５に対するいたずらを抑止することができる。
【００３１】
そして、その警告が無視され、さらに強い衝撃がガラス板２８に加えられてガラス板２８が破損したときには、かご１４が最寄階のエレベータホール１で停止し、したがってガラス板２８が破損したままエレベータが運行されることがなく、このため破損したガラス板２８で第三者の乗客が怪我を負うような危険を防止することができる。さらに、ガラス板２８が破損する異常が生じたときには、その情報が直ちにエレベータの管理センターに通報され、したがってその異常に対して速やかに対応することができる。
【００３２】
図７には、エレベータホール１において、ホールドア装置８の防犯窓２５がいたずらされたときの作用の流れ図を示してある。
【００３３】
エレベータホール１におけるホールドア装置８のガラス板２８が手や器具類で叩かれるようないたずらが行なわれ（Ｓ１）、そのガラス板２８に所定範囲内の衝撃が加わってその衝撃が第１の検出センサ３１により検出されると（Ｓ２）、その信号が制御盤３３に送られる。
【００３４】
第１の検出センサ３１による信号が送られた制御盤３３は、その信号に基づいてエレベータホール１の警報ブザー１３を制御して鳴動させ、エレベータホール１の乗客に対していたずらをやめるよう警告を発する（Ｓ３）。この警告でエレベータホール１の乗客がいたずらをやめ、第１の検出センサ３１が衝撃を検出しなくなったとき、つまり衝撃無検出のときには（Ｓ４）、エレベータの運行がそのまま継続される（Ｓ５）。
【００３５】
Ｓ１のいたずらの行為の際に、ガラス板２８に所定範囲を超える大きな衝撃が加わってガラス板２８が破損し、その衝撃が第２の検出センサ３２により検出されると（Ｓ６）、その信号が制御盤３３に送られる。そして制御盤３３により移動中のかご１４が最寄の階のエレベータホール１で停止し、かつかごドア装置１７及びホールドア装置８が開いてエレベータの運行が停止するように制御される（Ｓ７）。さらに、前記検出センサ３２の検出信号に基づいてガラス板２８の異常（破損）がエレベータの管理センターに通報される（Ｓ８）。
【００３６】
Ｓ３における警報ブザー１３による警告にもかかわらず、いたずらが継続され、ガラス板２８がさらに強く叩かれて破損するときには、Ｓ６〜Ｓ８に進み、エレベータの運行停止、管理センターへの通報がなされる。
【００３７】
このように、エレベータホール１において、ホールドア装置８における防犯窓２５のガラス板２８がいたずらで叩かれ、ガラス板２８に所定範囲内の衝撃が加わると、エレベータホール１の警報ブザー１３が鳴動してそのいたずらに対して警告がなされる。このため防犯窓２５に対するいたずらを抑止することができる。
【００３８】
そして、その警告が無視され、さらに強い衝撃がガラス板２８に加えられてガラス板２８が破損したときには、かご１４が最寄階のエレベータホール１で停止し、したがってガラス板２８が破損したままエレベータが運行されることがなく、このため破損したガラス板２８で第三者の乗客が怪我を負うような危険を防止することができる。さらに、ガラス板２８が破損する異常が生じたときには、その情報が直ちにエレベータの管理センターに通報され、したがってその異常に対して速やかに対応することができる。
【００３９】
なお、前記実施形態では、第１及び第２の検出センサ３１，３２をガラス板２８の四隅部分に設けたが、四隅部分に限るものではなく、例えば留め具２７ａの部分などの設けるような場合であってもよい。また、第１及び第２の検出センサ３１，３２の個数も４つずつに限らず、それ以外の複数である場合や、単数の場合などであってもよい。さらに、特に第１のセンサ３１に関しては、比較的小さな所定の衝撃がほぼ瞬間的にガラス板２８に加わったときには信号を出力せず、比較的小さな所定の衝撃が所定の時間を超えてガラス板２８に加わったときには、信号を出力して警報手段を動作させる構成とすることも可能である。
【００４０】
また、前記実施形態では、エレベータホール及びかごの各ドア装置がそれぞれ一対のドアパネルが左右に移動する両開き式構造となっているが、一つのドアパネルが左右に移動する片開き式のドア装置、あるいは複数のドアパネルが前後に段違い状に配置され、その複数のドアパネルが同じ方向に異なる速度で移動する多段速片開き式のドア装置などであってもあってもよい。
【符号の説明】
【００４１】
１…エレベータホール
３…昇降路
８…ホールドア装置
１１…ホール操作盤
１３…警報ブザー
１４…かご
１７…かごドア装置
２０…かご操作盤
２３…警報ブザー
２５…防犯窓
２６…開口
２７…枠材
２８…ガラス板
３１…第１の検出センサ
３２…第２の検出センサ
３３…制御盤
【図１】
2011051740.tif 000003
【図２】
2011051740.tif 000004
【図３】
2011051740.tif 000005
【図４】
2011051740.tif 000006
【図５】
2011051740.tif 000007
【図６】
2011051740.tif 000008
【図７】
2011051740.tif 000009